(57)【要約】【課題】コンパクト性、安定性に優れ、かつブーツの履き心地に影響を与えることのない自立具としてブーツクリッパーを提供することである。【解決手段】頭部１１と、その頭部１１の下端から下方に延び、前記頭部１１と同じ面で扁平に形成された同一形状の２枚の所定長さの脚部１２ａ、１２ｂとからなり、前記各脚部１２ａ、１２ｂは相互にその厚さ方向に重なり、それぞれ頭部１１との境界部１７で相互に離れる方向に屈曲可能であり、各脚部１２ａ、１２ｂの下端部内面に相互に吸引する磁石２３が装着されたブーツクリッパー。【選択図】図３
0003163620.tif 000002
【実用新案登録請求の範囲】
【請求項１】
頭部と、その頭部の下端から下方に延び、前記頭部と同じ面で扁平に形成された同一形状の２枚の所定長さの脚部とからなり、前記各脚部は相互にその厚さ方向に重なり、それぞれ頭部との境界部で相互に離れる方向に屈曲可能であり、各脚部の下端部内面に相互に吸引する磁石が装着されたブーツクリッパー。
【請求項２】
上記頭部が扁平な形状をしている請求項１記載のブーツクリッパー。
【請求項３】
前記頭部は、２枚のシートを重ねて一体に形成され、その下端において２枚のシートに分かれ、別れた各シートにそれぞれ裏打ちを施すことによって前記の２枚の脚部が形成され、前記磁石が各脚部のシートと裏打ち材の間に介在された請求項１又は２に記載のブーツクリッパー。
【請求項４】
前記脚部のシートと裏打ち材との間に板状の芯材が介在された請求項３に記載のブーツクリッパー。
【請求項５】
前記頭部を形成する２枚のシート間にクッション材が介在され、同様のクッション材が前記脚部のシートと芯材との間に介在された請求項３又は４のいずれかに記載のブーツクリッパー。
【請求項６】
前記頭部はその一部に指掛け用のくびれ部を有する請求項１から５のいずれかに記載のブーツクリッパー。
【考案の詳細な説明】
【技術分野】
【０００１】
この考案は、ブーツを自立させるブーツクリッパーに関するものである。
【背景技術】
【０００２】
ロングブーツの場合は特に、ショートブーツであっても脱いだ状態でフロアーに置くと、シャフト部（くるぶしから上の筒状部分）が折れて型崩れしたり、折れなくても傾いて倒れ易くなる。これを防止するため、従来から種々のブーツスタンド（特許文献１〜３）や、ブーツキーパ（同４）等が知られている。
【０００３】
特許文献１に開示されたものは、伸縮自在の支柱の下端を基台に固定し、その支柱の上端にクリップを設けた構成である。支柱をブーツの高さに調節したのち、支柱に沿わせてブーツを立て、ブーツの上端（履き口部分）を前記クリップで挟持することによりブーツを自立させるようにしている。
【０００４】
特許文献２に開示されたものは、基台が無く、伸縮自在の支柱の下端を直接フロアーに接地させるようにしている。特許文献３に開示されたものは、伸縮自在の２本の支柱の上端部をヘッド部材に近接して固定し、各支柱をそれぞれブーツに差し込み、各支柱の下端部をブーツ内部の底面に押し当てることで間接的にフロアーに接地させるようにしている。ブーツの上端部は、それぞれの履き口部の内側部分を２本の支柱間で挟むようにしているので、クリップは設けられていない。
【０００５】
特許文献４に開示されたものは、ブーツのシャフト部の内部に収まるように空気を入れて膨らました一対の膨満体の上端部を紐等で連結し、各膨満体をそれぞれのブーツのシャフト部に挿入するようにしたものである。
【０００６】
その他、スタンドを用いることなく、ブーツ自体に自立機能をもたせるために、シャフト部の内側面に磁石を埋め込み、左右のブーツを揃えた際に、その磁石の吸着力によってシャフト部相互を密着させるようにしたものも知られている（特許文献５参照）。
【先行技術文献】
【特許文献】
【０００７】
【特許文献１】実用新案登録第３１１０８２２号公報
【特許文献２】特開２００７−１３６１２９号公報
【特許文献３】特開２０１０−２９５７４号公報
【特許文献４】実用新案登録第３１４７２０１号公報
【特許文献５】特開２００９−２０７７９１号公報
【考案の概要】
【考案が解決しようとする課題】
【０００８】
前述の特許文献１に開示されたブーツスタンドは、支柱の下端に基台が設けられている点で安定性が高いが、コンパクト性に欠け、場所をとるほか、バッグに入れて持ち運びすることができない不便さがある。
【０００９】
特許文献２及び３に開示されたブーツスタンドは、支柱が伸縮自在であり、支柱の下端を直接接地させるものである点でコンパクト性に優れるが、不安定であり、また、使用の都度支柱の長さを調整しなければならない不便さがある。
【００１０】
特許文献４に開示されたブーツキーパは、ブーツの販売時に陳列する場合に便利であるが、日常ブーツを履いたり脱いだりする場合に使用するには、コンパクト性に欠ける。
【００１１】
特許文献５に開示されたものは、ブーツを履いた際に磁石による膨出部分が肌に触れるので履き心地が悪く、また磁石によってブーツの重量が増える要因となる問題がある。
【００１２】
以上のように、ブーツを自立させる用具としては、いずれも問題がある。
【００１３】
そこで、この考案は、コンパクト性、安定性に優れ、かつブーツの履き心地に影響を与えることのない自立具としてブーツクリッパーを提供することを課題とする。
【課題を解決するための手段】
【００１４】
前記の課題を解決するために、この考案に係るブーツクリッパーは、頭部と、その頭部の下端から下方に延び、前記頭部と同じ面で扁平に形成された同一形状の２枚の所定長さの脚部とからなり、前記各脚部は相互にその厚さ方向に重なり、それぞれ頭部との境界部で相互に離れる方向に屈曲可能であり、各脚部の下端部内面に相互に吸引する磁石が装着された構成としたものである。
【００１５】
前記のブーツクリッパーは、左右に揃えた一足のブーツのシャフト部に各脚部を差し込む。差し込み深さは、シャフト部が折れ易く、倒れ易い場合は比較的深く差し込む。各脚部下端部の磁石相互が吸引することにより、両方のシャフト部の内側面相互が密着する。これにより一足のブーツが一体化され、ブーツ自体の接地面積が広がる。同時に、両方のブーツのシャフト部相互が、ブーツクリッパーを介して互いに他方を支持する。
【００１６】
また、ブーツクリッパーを装着した状態ではその頭部がブーツの上方に突き出ているので、頭部を直接、又は頭部のくびれ部に手指を差し込んで、持ち上げて移動させることができる。
頭部の形状は、扁平な形状が好ましい。
【考案の効果】
【００１７】
以上のように、この考案に係るブーツクリッパーは、基台や支柱が不要であるためコンパクトであるので、靴べらを下駄箱近辺に設置するのと同様の感じで下駄箱近辺に設置することができる。
【００１８】
また、このブーツクリッパーを装着することにより、一足のブーツが一体化され、接地面積が広がるとともに、シャフト部が相互に他を支持し合うことになるので、ブーツの自立性が高く、折れ曲がりが防止される。シャフト部相互を密着させるための磁石は、ブーツに設けるのではなく、クリッパーに設けるので、ブーツの履き心地や重量に影響を及ぼすことがない。
【図面の簡単な説明】
【００１９】
【図１】図１は、実施形態１のブーツクリッパーの正面図である。
【図２】図２は、同上の側面図である。
【図３】図３は、使用状態の断面図である。
【図４】図４（ａ）は、図１のＸ１−Ｘ１線の拡大断面図、図４（ｂ）は、図２のＸ２−Ｘ２線の拡大断面図である。
【図５】図５（ａ）は、ロングブーツの場合の使用状態を示す側面図、図５（ｂ）は、シュートブーツの場合の使用状態を示す側面図である。
【考案を実施するための形態】
【００２０】
以下、この発明の実施の形態を添付図面に基づいて説明する。
[実施形態１]
【００２１】
図１に示したように、実施形態１のブーツクリッパー１０は、頭部１１及びその下端から下方に延びた所定長さの２枚の脚部１２ａ、１２ｂ（図２参照）とからなる。頭部１１及びこれに連続して形成された脚部１２ａ、１２ｂは、ともに同じ面に広がった扁平な形状に形成される。
【００２２】
頭部１１は、図４（ａ）に示したように、皮革、合成皮革等の表シート１３ａ及び裏シート１３ｂの間にウレタン等の発泡性のクッション材１４を介在したものである。図１に示したようなキャラクターの形状その他任意のデザインに裁断され、表シート１３ａの表面に適宜な模様・色彩が施される。周縁部はミシン糸１５によって縫製されている。頭部１１の一部（猫の首部分）にくびれ部１６が形成されている。このくびれ部１６は、頭部１１のデザインにかかわらずその一部に設けることが望ましい。
【００２３】
脚部１２ａ、１２ｂは、頭部１１の下端部の境界部１７から下方に延び、同一形状の細長い板状に形成されたものであり、相互にその厚さ方向に重なっている。頭部１１を構成する表裏のシート１３ａ、１３ｂは境界部１７において縫製がなされず、表シート１３ａと裏シート１３ｂは表裏に分かれている（図４（ａ）参照）。
【００２４】
表シート１３ａは、一方の脚部１２ａの表シート１８となり、裏シート１３ｂは、他方の脚部１２ｂの表シート１８となっている。
【００２５】
脚部１２ａと１２ｂは、同一構造であり、図４（ａ）（ｂ）に示したように、表シート１８の裏面にクッション材１４、扁平な芯材１９、裏打ち材２１、裏打ち飾り布２２を順に積層した構成となっている。
【００２６】
各脚部１２ａと１２ｂの下端部においては、図４（ｂ）に示したように、芯材１９と裏打ち材２１の間に磁石２３が介在され、裏打ち材２１に接着固定されている。各脚部１２ａ、１２ｂの磁石２３はそれぞれ対向面が異極となり、裏打ち材２１、裏打ち飾り布材２２を介して相互に吸着することができる。各脚部１２ａ、１２ｂの両側縁及び下端縁はミシン糸１５によって縫製されている。
【００２７】
なお、一方の脚部１２ａの下端部において、その表シート１８の表面にデザイン的な観点から異色の飾り片２４が縫着されている。
【００２８】
実施形態１のブーツクリッパー１０は以上のように構成され、次にその使用方法について説明する。
【００２９】
使用する際は、磁石２３による吸着を引き離し、両方の脚部１２ａ、１２ｂを図２の二点鎖線で示したように、境界部１７を支点として両側に開脚させる（図２の双頭矢印参照）。
【００３０】
図３はロングブーツに適用した場合を示している。一足のブーツ２５、２５を揃え、それぞれのシャフト部２６の内側部分を合わせる。そのうえで、シャフト部２６上端の履き口２７からそれぞれ脚部１２ａ、１２ｂを内側部内面に沿って差し込む。差し込みの途中で磁石２３相互がシャフト部２６の内側部分の肉厚を介して吸引し合う。そのまま、境界部１７が履き口２７周辺に達するまで脚部１２ａ、１２ｂを滑らせながら押し込む。
【００３１】
脚部１２ａ、１２ｂの差し込み深さは、折れ曲がり易さ、倒れ易さなどから適宜決定される。折れ曲がり易い場合、倒れ易い場合はできるだけ深く差し込む。そうでない場合は、浅く差し込むだけでよい。最も深く差し込んでも、脚部１２ａ、１２ｂの下端はシャフト部２６の下端（くるぶしの上）程度である（図５（ａ）参照）。
【００３２】
上記のようにして脚部１２ａ、１２ｂを差し込むと両方のシャフト部２６の肉厚部分が両方の磁石２３の吸引力によって挟持される。両方のシャフト部２６は、磁石２３による挟持部分から履き口２７の部分が両方の脚部１２ａ、１２ｂの間に挟まれる。これにより一足のブーツ２５が一体化されるのでブーツ２５の接地面積は２倍に広がり、倒れ難くなる。
【００３３】
また、ブーツ２５のシャフト部２６相互は、ブーツクリッパー１０を介して互いに他方を支持するので倒れ難く、また折れ曲がり難くなる。
【００３４】
前記の状態で頭部１１を把持して持ち上げると、一足のブーツ２５は磁石２３の力で挟持されているので、一体に持ち上げることができる。このブーツクリッパーを装着したまま、ブーツ２５の置き場所を移動する際に便利である。このとき、頭部１１のくびれ部１６に手の指股を差し入れることにより、容易に持ち上げることができる。
【００３５】
ショートブーツ２５ａの場合は、脚部１２ａ、１２ｂが上方に大きく露出するが（図５（ｂ）参照）、脚部１２ａ、１２ｂ相互が磁石２３によって密着されており、また芯材１９によって補強されているので、ブーツクリッパー１０自体が倒れることはない。また、頭部１１の高さが維持されるので、頭部１１を把持する場合などに却って便利である。
【符号の説明】
【００３６】
１０  ブーツクリッパー
１１  頭部
１２ａ、１２ｂ  脚部
１３ａ  表シート
１３ｂ  裏シート
１４  クッション材
１５  ミシン糸
１６  くびれ部
１７  境界部
１８  表シート
１９  芯材
２１  裏打ち材
２２  裏打ち飾り布
２３  磁石
２４  飾り片
２５  ブーツ
２５ａ  ショートブーツ
２６  シャフト部
２７  履き口
【図１】
0003163620.tif 000003
【図２】
0003163620.tif 000004
【図３】
0003163620.tif 000005
【図４】
0003163620.tif 000006
【図５】
0003163620.tif 000007